(57)【要約】【課題】  必要な保温効果を得られることは勿論、更に一歩進んで、衛生的で装用感に優れ、装着部位の圧痛を緩和することもでき、しかも、生産性も非常に高い保温用サポーターを提供すること。【解決手段】  発泡樹脂から成るコードを斜行状態に交差一体化して構成されたネット状の筒体から成るサポーター本体であって、該筒体は人体の手足を包囲可能なるごとく伸縮自在であり、かつ、筒体１両端の筒口には辷り止め用のエラスティック・バンドを設けた。【選択図】  図１
0003122760.tif 000002
【実用新案登録請求の範囲】
【請求項１】
発泡樹脂から成るコード11を斜行状態に交差一体化して構成されたネット状の筒体から成るサポーター本体１であって、当該筒体は人体の手足や首、腰等を包囲可能なるごとく伸縮自在であり、かつ、筒体両端の筒口12・12には辷り止め用のエラスティック・バンド13を有することを特徴とする保温用サポーター。
【請求項２】
サポーター本体１のコード11が、熱融着により交差一体化されていることを特徴とする請求項１記載の保温用サポーター。
【請求項３】
サポーター本体１のコード11が、独立気泡型の発泡体であることを特徴とする請求項１または２に記載の保温用サポーター。
【請求項４】
サポーター本体１の厚みがコード一本分であることを特徴とする請求項１〜３の何れか一つに記載の保温用サポーター。
【請求項５】
サポーター本体１のエラスティック・バンド13に、ゴムベルトが用いられていることを特徴とする請求項１〜４の何れか一つに記載の保温用サポーター。
【請求項６】
サポーター本体１が、人体の手足の輪郭に適合するテーパー形状を成していることを特徴とする請求項１〜５の何れか一つに記載の保温用サポーター。
【考案の詳細な説明】
【技術分野】
【０００１】
本考案は、サポーターの改良、詳しくは、充分な保温効果を得ることができ、さらに、衛生的で装用感にも優れ、しかも、装着部位における圧痛の緩和もできる機能性に優れた保温用サポーターに関するものである。
【背景技術】
【０００２】
周知のとおり、寒い日や冷房で身体の手足が冷えたときには、体温を保持する目的で手足を被覆する保温用サポーターを用いるのが一般的である。
【０００３】
そして、このような保温用のサポーターとしては、弾性糸材を含む編糸を筒状に編成したメリヤス地のものが従来において広く知られている（例えば、特許文献１参照）。
【０００４】
しかしながら、上記従来のサポーターは、面状体であるメリヤス地を素材としていたことから、身体の被覆部分が全周的に面圧されるとともに、高伸縮性を有した弾性糸の強過ぎる締め付けによって装着者に不快な圧迫感を感じさせていた。
【０００５】
また、メリヤス地のサポーターは、複雑な工程を経て作製せねばならなかったため、製造に多くの時間が取られてしまい、生産効率の点で満足できるものではなかった。
【０００６】
一方、従来においては、＜特許文献２＞のような弾性糸材から成る細糸を使用した筒状のネット包帯も公知となっているが、このようなネット包帯は、装着時における圧迫感や衛生面の問題がないものの、保温効果に欠ける上に、装着部分を動かした際に、細糸が肌に食い込んで装用感が損なわれる難点があった。
【０００７】
また、糸材で構成されたメリヤス地のサポーターやネット包帯では、満足な衝撃吸収性を得ることができなかったため、筋肉部位や関節部位の圧痛を緩和することができなかった。
【特許文献１】実開平２−１１４０３１号公報（第２−９頁、第１−５図）
【特許文献２】登録実用新案３１０３９７８号公報（第２−４頁、第１−７図）
【考案の開示】
【考案が解決しようとする課題】
【０００８】
本考案は、この上記の問題に鑑みてなされたものであって、その目的とするところは、必要な保温効果を得られることは勿論、更に一歩進んで、衛生的で装用感に優れ、装着部位の圧痛を緩和することもでき、しかも、生産性も非常に高い保温用サポーターを提供することにある。
【課題を解決するための手段】
【０００９】
本考案者が、上記課題を解決するために採用した手段を添付図面を参照して説明すれば次のとおりである。
【００１０】
即ち、本考案は、発泡樹脂から成るコードを斜行状態に交差一体化して構成されたネット状の筒体であって、該筒体は人体の手足を包囲可能なるごとく伸縮自在であり、かつ、筒体１両端の筒口には辷り止め用のエラスティック・バンドを有する点に特徴がある。
【００１１】
また、本考案においては、上記課題を解決するために、必要に応じて上記手段に加え、サポーター本体１のコード11を、熱融着により交差一体化するという技術的手段を採用することができる。
【００１２】
また、本考案においては、上記課題を解決するために、必要に応じて上記手段に加え、サポーター本体１のコード11を、独立気泡型の発泡体とするという技術的手段を採用することができる。
【００１３】
また、本考案においては、上記課題を解決するために、必要に応じて上記手段に加え、サポーター本体１を、厚みがコード一本分となるように作成するという技術的手段を採用することができる。
【００１４】
また、本考案においては、上記課題を解決するために、必要に応じて上記手段に加え、サポーター本体１のエラスティック・バンド13に、ゴムベルトを用いるという技術的手段を採用することができる。
【００１５】
また、本考案においては、上記課題を解決するために、必要に応じて上記手段に加え、サポーター本体１を、人体の手足の輪郭に適合するテーパー形状に作成するという技術的手段を採用することができる。
【考案の効果】
【００１６】
本考案においては、サポーター本体を、発泡樹脂のコードをネット状の筒体に構成して作成したことにより、人体の手足に対する外気からの熱伝動を、発泡樹脂の断熱作用によって遮断することのできる新規な構造の保温用サポーターを完成するに至った。
【００１７】
そして、サポーター本体の伸縮性は、柔軟性と反発性を有した発泡樹脂から成るコードを斜行状態に交差一体化したことにより、人体の手足を包囲できる程度の適度なものとなるため、サポーター装着時の不快な圧迫感は解消される。しかも、発泡樹脂から成るコードは比較的に表面積が大きいことから、サポーター装着時における肌との接触面積も大きくなり、肌への食込みが生じることもないため、快適な装用感を実現できる。
【００１８】
なお、手足を動かすことによって起こるサポーター本体の辷りは、サポーター本体両端の筒口に配設したエラスティック・バンドによって抑止することができる。
【００１９】
また、サポーター本体をネット状の筒体にしたことによって、充分な通気性も確保されるため、長時間使用してもムレが生じず良好な衛生状態を保持することができる。
【００２０】
そしてまた、サポーター本体の素材に発泡樹脂を用いたことで、発泡樹脂の柔軟な物性による優れた緩衝性が備わるため、装着部位の圧痛を和らげることもできる。
【００２１】
一方、サポーター本体の作製においては、押出成形機等を使用して簡単な工程で高速に製造できることから、大量生産による生産性の向上も見込める。
【００２２】
したがって、本考案により、人体各部の保温を手軽に行うことができ、さらに、衛生面や装用感、そして装着部位の保護における機能性も非常に高い保温用サポーターを安価に提供することができることから、本考案の実用的利用価値は非常に高いと云える。
【考案を実施するための最良の形態】
【００２３】
『第１実施形態』
本考案の第１実施形態を具体的に図示した図１から図３に基いて更に詳細に説明すると次のとおりである。まず、図中において符号１で指示するものは、ネット状のサポーター本体である。
【００２４】
次に、本実施形態の構成を以下から説明する。まず、本実施形態においては、発泡樹脂から成るコード11を斜行状態に交差一体化することによって、ネット状の筒体のサポーター本体１を作製した（図１参照）。なお、本実施形態では、サポーター本体１を人体の腕部に合わせた形状及び大きさとすることで腕用の保温サポーターとしている。
【００２５】
上記のようにサポーター本体１を構成したことによって、図２に示すように筒口12から手を差し込んで装着すれば、腕部分と外気との熱伝動を発泡樹脂の断熱作用により遮断できることから、高い保温効果を得ることができる。
【００２６】
そして、サポーター本体１の伸縮性は、発泡樹脂から成るコード11の柔軟性と反発性によって、手足を包囲可能な程度の強さに抑えられるため、サポーター装着時に圧迫感を感じることもない。しかも、発泡樹脂は比較的に表面積が大きいことから、サポーター装着時におけるコード11と肌との接触面積も大きくなり、肌への食込みが生じることもないため、快適な装用感を実現できる。
【００２７】
また、サポーター本体１をネット状にしたことから、充分な通気性を確保することもできるため、長時間装着してもムレて衛生状態が損なわれることはない。
【００２８】
そしてまた、サポーター本体１の素材に発泡樹脂を用いたことで、発泡樹脂の柔軟な物性による優れた緩衝性が備わるため、装着部位の圧痛を和らげることができる。
【００２９】
ところで、保温用サポーターに関しては、包帯と同様にガーゼや湿布等を抑えるための道具として使用されることも多く、その際には、身体から剥がれないようにガーゼ等を被覆するだけでなく、被覆した負傷部を外部の衝撃から護ることも可能である。
【００３０】
一方、サポーター本体の作製に関しては、押出成形機等を用いて高速に製造できることから、大量生産による生産性の向上も見込める。
【００３１】
なお、本実施形態では、サポーター本体１の押出発泡成形に用いる基材に、発泡成形品が無害で肌に優しい特性を持ち、材料費としても安価なポリプロピレン樹脂（PP）を用いた。
【００３２】
そして、サポーター本体１の断熱性を格段に高めるとともに、衛生状態の悪化に繋がる吸汗を防止するために、コード11を独立気泡型（closed cell）の発泡体に成形した。
【００３３】
また、装着時における弛みを防止してフィット感がさらに向上するように、サポーター本体１を、人体の腕部の輪郭に適合するテーパー形状に作製した。
【００３４】
そしてまた、手足を動かすことによって生じるサポーターの辷りを防止するために、サポーター本体１両端の筒口12・12にエラスティック・バンド13を配設して保温用サポーター全体を構成した。なお、このエラスティック・バンド13には、辷り止めに成り得る摩擦性及び伸縮性とを備えるゴム紐部材を使用した。
【００３５】
［製造例］
次に、本考案の第１実施形態における製造例を説明する。本製造例では、サポーター本体１の製造に押出発泡成形法を採用した。そして、製造装置としては、円形でその円周上に多数のノズルを備えた一対のダイが、それぞれ逆方向に回転しながら溶融樹脂材料を押出すことにより、ネット状の筒体を成形することができる押出成形機を用いる。また、このような製造装置に、片方のダイだけが回転するものや、一対の角形ダイが左右に動きながら押出しするフラットダイ式の押出成形機を採用してもよい。
【００３６】
そして、押出成形の引き取り工程時において、発泡剤を混練した樹脂材料を押出して作成された線状のコード群11・11…を交差するように誘導し、この交差した部分を融着することによって、ネット状の筒体を連続的に製造できるようにした（図３参照）。
【００３７】
なお、この押出成形における設定に関しては、サポーター本体１が使用に耐え得る強度とソフトな柔軟性とを具備するように、コード11の平均密度が0.03〜0.09g／cm３となるようにする。
【００３８】
加えて、サポーター本体１のコード11の断面積を10〜30mm２として、サポーターが過度に嵩張って装用時の着衣を阻害しないようにしている。加えて、サポーター本体１におけるコード同士11・11の融着点間の距離を0.5cm〜1.5cmとして、望ましい伸縮性と通気性とを得られる大きさの網目とした。
【００３９】
そして、エラスティック・バンド13には低コストなゴム紐を使用し、上記の押出成形機で作成されたサポーター本体１の両端に接着剤で固定する。
【００４０】
『第２実施形態』
本考案の第２実施形態を図４及び図５に基いて説明する。本実施形態では、サポーター本体１を人体の脚部に適合する大きさ及び形状とすることにより、脚部用の保温サポーターを作成した（図４、図５参照）。そして、サポーター本体１の基材には、発泡成形における加工性に優れたポリエチレン（PE）を用いるとともに、成形方法として注型発泡成形を採用することにより、サポーター本体１の厚みがコード11一本分になるようにして着衣の障害となるサポーターの嵩張りを軽減した。
【００４１】
そして、サポーター本体１のエラスティック・バンド13には、脚部との接触面積を広くとれるようにゴムベルトを採用した。
【００４２】
また、サポーター本体１には、脚部の屈伸運動による連続した擦れと引張りによってコード11の破損が生じ易い膝部分に膝頭が表出する程度の窓孔部14を設けることにより、サポーター本体１の耐用性を向上させた。ちなみに、サポーター本体が腕用の場合には、腕関節である肘部分に窓部14を設ける。
【００４３】
また、本考案は、概ね上記のように構成されるが、図示の実施形態に限定されるものではなく、「実用新案登録請求の範囲」の記載内において種々の変更が可能であって、例えば、サポーター本体１は、人体の手足だけでなく、図６及び図７に示すように首や腰を被覆する大きさ形状であってもよい。
【００４４】
また、サポーター本体１は、コード11を連続気泡型（open cell）の発泡体とすることにより、通気性及び吸水性を付与して、長時間の使用によるムレの防止効果を高めることができる。
【００４５】
そしてまた、サポーター本体１の素材には、ポリプロピレン（PP）やポリエチレン（PE）等の発泡ポリオレフィン系樹脂だけでなく、ポリスチレン（PS）や塩化ビニル（PVC）、ポリウレタン（PU）、ＥＶＡ、ゴム等の発泡体を採用することもできる。
【００４６】
加えて、サポーター本体１の成形方法に関しても、ネット状の筒体を成形することができるならば押出発泡成形法や注型発泡成形法だけでなく、射出発泡成形法など、他の成形方法を採用することも勿論可能である。
【００４７】
さらに、サポーター本体１の両端に配設するエラスティック・バンド13も、辷止めに成り得る伸縮性及び摩擦力を有していれば、ゴム以外のエラストマー材料等を使用したものでもよく、また、バンド13の配設方法も、サポーター本体１両端と一体化できれば縫着やその他の係着方法を採用してもよく、何れも本考案の技術的範囲に属する。
【産業上の利用可能性】
【００４８】
近年では、関節痛に苦しむ高齢者や、夏場の冷房機器による冷えを訴える人が増加しており、これらの関節痛や冷えを和らげる対策の一つとして保温サポーターの需要が高まってきている。ところが、市場においては、未だに、満足できる機能性及び利便性を兼ね備えた保温サポーターを見受けることができない。
【００４９】
そのような中で、本考案の保温用サポーターは、高い保温機能を有することは勿論、長時間の使用においても衛生状態と装用感が損なわれることがなく、さらに、圧痛症状に係る医療具としても有効に使用できる実用的で利便性に優れた防寒具であることから、上記の需要者の要望にも充分に応えることができるため、本考案の産業上の利用価値は非常に高いと云える。
【図面の簡単な説明】
【００５０】
【図１】本考案の第１実施形態における腕用サポーター本体を表わす全体斜視図である。
【図２】本考案の第１実施形態における腕用サポーター本体の装着状態を表わす状態説明図である。
【図３】本考案の第１実施形態における腕用サポーター本体の構造を表わす部分説明図である。
【図４】本考案の第２実施形態における脚用サポーター本体を表わす全体斜視図である。
【図５】本考案の第２実施形態における脚用サポーター本体の装着状態を表わす状態説明図である。
【図６】本考案の変形例における首用サポーター本体の装着状態を表わす状態説明図である。
【図７】本考案の変形例における腰用サポーター本体の装着状態を表わす状態説明図である。
【符号の説明】
【００５１】
１  サポーター本体
11  コード
12  筒口
13  エラスティック・バンド
14  窓孔
【図１】
0003122760.tif 000003
【図２】
0003122760.tif 000004
【図３】
0003122760.tif 000005
【図４】
0003122760.tif 000006
【図５】
0003122760.tif 000007
【図６】
0003122760.tif 000008
【図７】
0003122760.tif 000009